(57)【特許請求の範囲】
【請求項１】
複数の接触点（９）においてそれぞれの接触面を介して互いに接続されている多数の導電性加熱ストランド（１〜４）を備えた織物加熱装置において、
少なくとも２つの前記導電性加熱ストランドが、前記織物上に機械的な応力が作用した場合でも接触面の相対位置および／または接触面積が実質上一定となるように、前記接触点において固定媒体（５）による結び目（６）を設けることにより互いに固定され、
前記導電性加熱ストランド（１〜４）に電圧を供給するために、多数の電極ストランド（８，８’）が、互に接続される２つの該導電性加熱ストランドの一方に代えて織物中に間隔をおいて配置され、
前記固定媒体（５）が、少なくとも１本の補助繊維から成り、
多数の電極ストランド（８，８’）の端部分集合が、前記織物に加熱用電流を供給するために、互いに間隔を置いてかつ実質上同一の広がり方向（S）に延びて配置され、
そして、前記織物が、メリヤス編布であることを特徴とする織物加熱装置。
【請求項２】
前記電極ストランド（８，８’）の織物中の間隔が、互いに０．５ｃｍないし４０ｃｍであることを特徴とする請求項１に記載の織物加熱装置。
【請求項３】
前記電極ストランド（８，８’）が、前記導電性加熱ストランド（１〜４）内に波または正弦波状に配置されることを特徴とする請求項１または２に記載の織物加熱装置。
【請求項４】
前記電極ストランド（８，８’）がそれぞれ金属フィラメントおよび／または金属線からなる少なくとも１本の繊維を有することを特徴とする請求項１〜３の内の何れか１項に記載の織物加熱装置。
【請求項５】
前記導電性加熱ストランド（１〜４）が少なくとも１つの炭素繊維をまたは／およびグラファイトで充填されたセルロース繊維および／または導電性物質繊維を有することを特徴とする請求項１〜４の内の何れか１項に記載の織物加熱装置。
【請求項６】
前記結合繊維（５）がポリエステルから作られることを特徴とする請求項１〜５の内のいずれか１項に記載の織物加熱装置。
【発明の詳細な説明】
【０００１】
【発明の属する技術分野】
本発明は、複数の接触点においてそれぞれの接触面を介して互いに接続されている多数の導電性加熱ストランドを備えた織物加熱装置に関する。
【０００２】
【従来技術】
織物加熱装置は基本的には知られている。これらは、熱に対する電気抵抗体として利用される。織物または繊維の導電性は、例えば、プラスチック繊維中の繊維の金属層によってまたはグラファイト粒子からなる封入体によって保証される。この種の過熱装置用織物としてとくに布地またはメリヤス編みが利用される。
【０００３】
【発明が解決しようとする課題】
温度調整は普通、織物加熱装置の電圧および／または電流の制御に基づいて行われる。それゆえ、正確なかつ信頼できる温度調整が織物または織物加熱装置の電気抵抗のできるだけ正確な知識を必要とする。しかしながら、実際には、この要求はしばしば不十分にのみ満たされることを示している。従来技術の加熱装置の抵抗値は組み込み状況または利用の場合および負荷の状態に応じてそれぞれの状況で非常に不安定でありかつとくに組み込まれていない加熱織物の抵抗値から逸脱する。
【０００４】
本発明の目的は、異なる組み込み状況または負荷の状態に係わらず、実質上一定の抵抗値を有する織物加熱装置を提供することにある。
【０００５】
【課題を解決するための手段】
課題の解決のために、本発明によれば、少なくとも２つの前記導電性加熱ストランドが、前記織物上に機械的な応力が作用した場合でも接触面の相対位置および／または接触面積が実質上一定となるように、前記接触点において固定媒体による結び目を設けることにより互いに固定され、前記導電性加熱ストランドに電圧を供給するために、多数の電極ストランドが、互に接続される２つの該導電性加熱ストランドの一方に代えて織物中に間隔をおいて配置され、前記固定媒体が、少なくとも１本の補助繊維から成り、多数の電極ストランドの端部分集合が、前記織物に加熱用電流を供給するために、互いに間隔を置いてかつ実質上同一の広がり方向に延びて配置され、そして、前記織物が、メリヤス編布であることを特徴とする織物加熱装置が提案される。
【０００６】
本発明による織物加熱装置において、導電性加熱ストランドの接触点は、ストランドの接触点および接触点の相対的な位置が加熱織物のそれ自体の運動およびそれに加わる負荷が作用しても実質上不変であるように固定される。機械的応力の影響により、織物形状の一時的または永続的弾性または可塑的変形または変更を来たしかつ織物の安定限界以下となって復元不能な形状に至る。加熱織物へのどのような外力による作用を受けることは理解される。言い換えれば、織物または織物構造は外力の作用によってかなり破壊される。過熱ストランドによって織物内に形成された抵抗網の全体抵抗は、接触点を固定することによって織物の運動および負荷に対して実質上不変に維持される。加熱ストランドは、好ましくは、少なくとも１つの導電性繊維を有する多数の非導電性の織物繊維を含むが、また個々の或いは多数の導電性繊維の形状において形作られる。
【０００７】
上記した課題の解決は、従来の加熱織物において、引っ張り負荷、折り畳みまたは同様な形状変化のために、個々の導電性加熱ストランドまたは繊維間の接触点の位置及び接触面の大きさが変化するので、抵抗値は、組み込み状況および負荷状態において異なるという事実に基いている。加熱織物の全体に亘る一定の電気抵抗を達成するために、個々の繊維の接触点および接触面が織物のそれ自体の運動およびそれに対して加わる負荷に対しても常に不変でなければならない。
本発明による織物加熱装置は、織物の２つの隣接する加熱ストランドが互いに一定の距離においてかつ一定の接触面積において互いに接続される。すなわち、織物のストランドまたは繊維の伸長に際して、繊維／ストランドの接触面も伸長に対応して動かされるということによって極めて安定した接触性を発揮する。それにより、異なる組み込み条件においても加熱織物全体に亘る一定の電気抵抗を保証する定義された、不変の接触点が達成される。
【０００８】
さらに、上記した本発明の構成において、２つの隣接する加熱ストランドが接触点において互いに結合される。その場合、結合のために加熱ストランド同士に生ずる予負荷が、織物に作用する外的負荷に適応して、ストランドの接触点の位置および接触面の変化を阻止することとなる。
【０００９】
２本の繊維同士の結合方法は織物産業においてマキゼット（Ｍａｑｕｉｓｅｔｔｅ）技術として知られかつチュール、カーテン等の製造に利用される。好都合な技術および方法で、本発明による加熱織物はそれによりこれらの製品を製造するための従来の織機により製造することが可能である。
【００１０】
上記した本発明の構成において、加熱ストランド同士及び加熱ストランドと電極ストランドとの接触点の固定のために固定媒体が設けられる。かかる付加的固定媒体は、少なくとも１本の繊維であり、他の場合においては、クリップ、留め金または接着剤のごとき、ストランドまたは繊維の永続的な結合を行うための手段を含んでいる。しかしながらまた、繊維／ストランドは溶接または押し出しによってそれらの接触点において接続されることも可能である。利用される織物、また材質、布地またはメリヤス編み等の技術、または材料に応じて、この模範的に言及される固定技術は、製造費用またはコスト、負荷能力、すなわち、得ようとされた寿命、ならびに過熱織物の材料特性、例えば、弾性および変形可能性に関する利点を有している。
【００１１】
本発明の好適な実施形態において、加熱ストランド同士或いは加熱ストランドと電極ストランドとの接触点における結合は、固定媒体を形成する繊維のらせん状巻き付けによって行われる。しかし、かかる繊維による結合のために、繊維によって加えられる２本のストランドへの結合力は、使用時に受ける荷重に対して反作用を生じるように強力なものとすべきである。
【００１２】
本発明の構成において、長手方向に沿って加熱織物内に電極ストランドまたは繊維が編み込まれている。電極ストランドは加熱ストランドより明らかに僅かな抵抗を有しかつ加熱織物と接触して使用される。詳細には、電極ストランドは少なくとも加熱織物のそれぞれの対向端部に配置されかつ加熱ストランドの十分有効な接触をコスト的にも有利な形で可能にする。
【００１３】
上記した本発明の構成において、多数の電極ストランドの端部分集合が、前記織物に加熱用電流を供給するために、互いに間隔を置いてかつ実質上同一の広がり方向に延びて配置されている。好都合な技術および方法において、織物中における電極ストランド間の間隔、すなわち、２本の電極ストランド間の電気的に橋絡すべき間隔が狭められることによって達成される。電極繊維が加熱織物の対向端部のみに設けられる大きな間隔と比較すると、この間隔は多数の小さい間隔に分割される。それにより、２つの隣接する電極ストランド間の抵抗値は対応して減少させられる。電極ストランドを有する本発明による加熱装置は好都合な技術および方法においてしたがって低い電圧で駆動され得る。また、同時に安定した加熱電圧で作動されるのに対して、より高い抵抗値の加熱ストランドを使用することが出来る。
【００１４】
本発明の好適な形状において、個々の電極ストランド間の間隔は互いに０．５ｃｍないし４０ｃｍとなる。加熱ストランドの選択に応じて、本発明による加熱織物は、比較的僅かな電圧によるかかる電極ストランド相互間の間隔にしたことで、とくに自動車に使用する場合は、普通のバッテリ電圧で作動される。この織物過熱装置は、特に座席の過熱のごとき自動車への利用に適する。
【００１５】
好都合な接触において、加熱織物上に、過熱導体との確実な接触を保証するために、５〜７重に並べて配置される電極ストランドが縫い付けられる。好都合な他の構成は加熱ストランドと電極ストランドとの間の電気的接触が、結合または接触点の固定により、例えば結び目または補助的繊維により、確実にかつ信頼できるように製造されるので、１または２本の加熱ストランド上の電極ストランドの数の減少を許容する。
【００１６】
本発明の構成において、前記導電性加熱ストランドに電圧を供給するために、多数の電極ストランドが、互に接続される２つの該導電性加熱ストランドの一方に代えて織物中に間隔をおいて配置される。それによって、電極ストランドの接続作業は、これが加熱ストランドと同様な技術および方法で行われるので、簡素化される。好都合な技術および方法において、そのさい、また、電極ストランドおよび加熱ストランドの接触点の固定が加熱ストランドの接触点の固定に対応して互いに達成される。
【００１７】
好適な実施の形態において、電極ストランドは加熱ストランド内に波または正弦波状に配置される。かかる構成は、直線的に配置された電極が高い磨耗を受け、すなわち、容易に裂けまたは破れるので、高い電極の寿命を保証する。
【００１８】
本発明のさらに他の利点および構成は説明および添付の図面から明らかになる。
【００１９】
理解されることは、上記のかつ以下で説明すべき特徴は、本発明の枠を離れることなく、それぞれ付与された組み合わせだけでなく、他の組み合わせまたは単独で利用可能であるということである。
【００２０】
本発明は１実施例に基づいて図面に略示されかつ以下で図面において関連して詳細に説明される。
【００２１】
【実施の形態】
図１は、メリヤス編みの形において提供された本発明による加熱織物の断面を示す拡大図である。メリヤスは、基本的には、ストランドまたは繊維の３つの異なる技術から組織される。参照符号１ないし４ならびに８および８’は電流導体として使用するストランドを示している。詳細には、メリヤス編みの加熱ストランド１ないし４および電極ストランド８および８’である。それに対して、参照符号５は、導電性ストランド１ないし４，８，８’の接触点９，１０の固定結合を保証する結合繊維を示している。文字Ｓにより示した矢印は、電極ストランド８および８’において、対応して向けられた電圧が付与されるとき加熱織物を通る電流流れの方向を示している。
【００２２】
加熱織物の電気的接続のために、普通の方法で織物に貼り付けられ、縫い付けられ、リベット止めされまたは専門家により知られる他の手段により導電性で固定される、電極が利用される。
【００２３】
本発明の図１および図２に示した好適な実施例において、電極ストランド８，８’は好都合に加熱織物に作用する。電極ストランド８，８’は、好ましくは、それぞれ加熱繊維／ストランドに代えて規則的な間隔において織物内に設けられ、それは簡単な製造を保証する。図示の理由から、単に２つの電極ストランド８，８’を示している。それらはしかしながら対応して前方に本発明による織物過熱装置に配置されている。本発明による接触点９，１０の固定は、加熱ストランド１ないし４および電極ストランド８，８’との間の電気的接触が固定によって確保されるので、それぞれ１本または２本のストランド上の接続点における電極ストランド８，８’の数を減らすことができる。図１において、接続点にはそれぞれ固有の電極ストランド８，８’が設けられる。
【００２４】
異なる接続点の電極ストランド８，８’間の間隔は、好ましくは、２ｃｍないし８ｃｍになる。
【００２５】
かかる比較的僅かなかつ同一の接触間隔は、１つまたは多くても２つの電極ストランド８，８’により確実な電気的接触が得られるので、達成される。設けられた電極ストランド８，８’の僅かな間隔に基づいて、本発明による織物加熱装置はわずかな電圧により、例えば、１０Ｖないし５０Ｖの範囲において運転のために設けられることができる。これは、とくに自動車の利用に好都合である。
【００２６】
電極ストランド８，８’は加熱ストランド内に波または正弦波状に配置され、そのさい電極ストランド８，８’の高い寿命が要求される。電極８，８’の屈曲形状の範囲は織物の変形を、それにより高い磨耗を受け、すなわち容易に裂けまたは破られる、直線状に配置した電極として容易に収容することができる。
【００２７】
電極ストランド８，８’は、例えば、銅、アルミニウム、金または銀またはかかる層を備えた材料から作られかつ加熱ストランド１ないし４より明らかに僅かな抵抗を有している。電極ストランド８，８’の抵抗は、好ましくは、０．１オ〜ム／ｍとなる。これに対して加熱ストランド１ないし４として設けたストランドはおよそ３００オ〜ム／ｍの抵抗を有している。加熱ストランドとして例えば、グラファイトで充填される、セルロ〜ス繊維が利用される。
【００２８】
加熱ストランド１ないし４または加熱ストランド４と電極ストランド８，８’との間の接触点９または１０は図示された実施例においては結合繊維５によって固定され、そのさい結合は図２に詳細に示されている。
【００２９】
図２は図１の拡大詳細図を示している。図２には２つの固定技術が結合繊維５によって加熱ストランド１ないし４の接触点９の例において示される。しかしながら、結合繊維５は同一技術および方法で加熱ストランド１ないし４を電極ストランド８，８’と接続することができる。
【００３０】
図２の文字Ａで示される部分において、加熱ストランド１ないし４は結合繊維５によって結び目６により確実に互いに固定されている。結合のために、瞬間的にまたは連続的に加熱ストランド１ないし４のまわりに結び付けられる、１または多数の結合繊維５が設けられ得る。図２の範囲Ｂにおいて、さらに他の結合技術が示され、そのさい結合繊維５は加熱ストランド１ないし４の接触点９を螺旋状の巻き付け７によって確実に固定する。
【００３１】
結合繊維５としては例えば、ポリエチレン材料が適する。結合繊維は、また、それ自体導電性を備えることができる。
【００３２】
本発明による加熱織物は、また織物の運動または負荷にさいして十分に不変である全体抵抗によって際立っている。さらに、本発明による加熱織物はまたさらに他の加工を可能にする。加熱織物は円筒品として作られることができかつ要求または組み込みに対応して個々の織物片に切断され得る。織り込まれた電極ストランドの上に、切断された過熱織物が、例えば各々第２の電極ストランドに１つの極が割り当てられることによって、簡単な技術および方法で電気的に接続され得る。
【００３３】
【発明の効果】
本発明による加熱織物は、好都合な技術および方法において非常に可変のメッシュ開口で作られ、そのさい異なる組み込み条件が考慮されることが可能でありかつ材料節約が実現される。
【図面の簡単な説明】
【図１】    メリヤス編みの形において本発明による加熱織物を略示する拡大図である。
【図２】    上下の加熱ストランドまたは加熱ストランドと電極ストランドとの間の異なる結合技術を有する図１のメリヤス編布を示す詳細図である。
【符号の説明】
１    導電性加熱ストランド
２    導電性加熱ストランド
３    導電性加熱ストランド
４    導電性加熱ストランド
５    結合繊維
８    電極ストランド
８´  電極ストランド
９    接触点
１０  接触点
【図１】
0003823088.tif 000002
【図２】
0003823088.tif 000003